(57)【特許請求の範囲】
【請求項１】
交流の出力電圧を人体に印加して治療を行う電位治療器であって、
交流電源に接続される電源回路と、
前記電源回路の出力側に接続されて任意波形の交流電圧を生成するインバータと、
前記インバータによって生成される交流電圧を前記出力電圧に昇圧するトランスと、
前記インバータを制御する制御装置と、を有し、
前記制御装置で前記インバータを制御することにより、前記出力電圧の波形を周期的に変化させ、
前記出力電圧の電圧を所定の開始電圧から該開始電圧よりも高い所定の終了電圧まで上昇させる出力パターンを周期的に実行し、
前記出力パターンは、前記出力電圧の電圧を上昇させる過程において、該電圧を前記開始電圧よりも低い所定の基礎電圧にするインターバルを複数回含むことを特徴とする電位治療器。
【請求項２】
前記出力電圧の周波数を周期的に変化させることを特徴とする請求項１に記載の電位治療器。
【請求項３】
前記出力電圧の周波数を所定の開始周波数から該開始周波数よりも高い所定の終了周波数まで上昇させる出力パターンを周期的に実行することを特徴とする請求項２に記載の電位治療器。
【請求項４】
前記出力電圧の周波数が所定の基準周波数よりも低い場合、該出力電圧の１周期における正または負の電圧が印加される時間を夫々１／２周期よりも短くして１／２周期毎に無電圧時間を設けることを特徴とする請求項１ないし請求項３の何れか１項に記載の電位治療器。
【発明の詳細な説明】
【技術分野】
【０００１】
本発明は、電位治療器に関し、特に、出力される交流の電圧及び周波数を周期的に変化させることができる電位治療器に関する。
【背景技術】
【０００２】
従来、人体に交流の高電圧を印加して治療を行う電位治療器が利用されている。この種の電位治療器において、電圧を自動的に変化させて治療を行うものが知られている。
【０００３】
例えば、特許文献１に開示された電位治療器では、電位出力が高電位出力から低電位出力に自動的に切り替わる動作モードを有する。高電位出力の際の出力電圧は波高値１４０００Ｖｐ、９０００Ｖｐまたは４５００Ｖｐであり、低電位出力の際の出力電圧は波高値１４００Ｖｐである。高電位出力を印加する時間は２０分であり、低電位出力を印加する時間は４０分または４時間４０分である。
【先行技術文献】
【特許文献】
【０００４】
【特許文献１】特開２０１２−１３０５２１  （第４−６頁、第３図）
【発明の概要】
【発明が解決しようとする課題】
【０００５】
しかしながら、上記した従来技術では、安全性を確保しつつ、利用者の体感を改善する観点から改良の余地があった。例えば、特許文献１に開示された従来技術のように、長時間同じ周波数及び電圧の出力を続けるだけでは、同一の神経刺激が繰り返されるので、神経が疲労して体感が減衰する。
【０００６】
また、出力電圧の周波数を下げると直流電圧の波形に近くなるので、人体に電流が流れやすくなる。そのため、出力電圧として低周波数を利用する場合には、人体に流れる電流を抑えて安全性を確保することが求められる。
【０００７】
本発明は、上記の事情に鑑みてなされたものであり、その目的とするところは、出力電圧の印加方式によって体感を改善して優れた癒し効果を発揮することができる安全性の高い電位治療器を提供することにある。
【課題を解決するための手段】
【０００８】
本発明の電位治療器は、交流の出力電圧を人体に印加して治療を行う電位治療器であって、交流電源に接続される電源回路と、前記電源回路の出力側に接続されて任意波形の交流電圧を生成するインバータと、前記インバータによって生成される交流電圧を前記出力電圧に昇圧するトランスと、前記インバータを制御する制御装置と、を有し、前記制御装置で前記インバータを制御することにより、前記出力電圧の波形を周期的に変化させ、前記出力電圧の電圧を所定の開始電圧から該開始電圧よりも高い所定の終了電圧まで上昇させる出力パターンを周期的に実行し、前記出力パターンは、前記出力電圧の電圧を上昇させる過程において、該電圧を前記開始電圧よりも低い所定の基礎電圧にするインターバルを複数回含むことを特徴とする。
【発明の効果】
【０００９】
本発明の電位治療器によれば、制御装置でインバータを制御することにより、出力電圧の波形を周期的に変化させる。これにより、神経の疲労が抑制され、利用者の体感が改善される。そして、出力電圧の波形を変化させる周期や出力パターンを好適に設定することにより、鎮静作用によって利用者の気分を落ち着かせ、緊張やストレスを緩和して優れたリラックス効果若しくは癒し効果を発揮することができる。
【００１０】
また、前記出力電圧を所定の開始周波数から該開始周波数よりも高い所定の終了周波数まで上昇させる出力パターンを周期的に実行しても良い。このような出力電圧の周波数を徐々に上げる出力パターンにより、神経の慣れ現象を抑えることができ、鎮静の効果を更に高めることができる。
【００１１】
また、前記出力電圧の電圧を所定の開始電圧から該開始電圧よりも高い所定の終了電圧まで上昇させる出力パターンを周期的に実行しても良い。このような出力電圧の電圧を徐々に上げる出力パターンによっても、神経の慣れ現象を抑えることができる。その結果、出力電圧の周期的な変化を利用者が体感しやすくなり、癒し効果が更に高められる。
【００１２】
また、前記出力パターンは、前記出力電圧の電圧を上昇させる過程において、該電圧を前記開始電圧よりも低い所定の基礎電圧にするインターバルを少なくとも１回以上含んでも良い。これにより、神経疲労を緩和する効果が更に高まり、好適な体感を維持することができる。
【００１３】
また、前記出力電圧の周波数が所定の基準周波数より低い場合、該出力電圧の１周期における正または負の電圧が印加される時間を夫々１／２周期よりも短くして１／２周期毎に無電圧時間を設けても良い。これにより、人体に流れる電流を減らして安全性を高めることができる。
【図面の簡単な説明】
【００１４】
【図１】本発明の実施形態に係る電位治療器の概略構成を示すブロック図である。
【図２】本発明の実施形態に係る電位治療器の出力電圧の周波数を変化させた場合を示す説明図である。
【図３】本発明の実施形態に係る電位治療器の出力電圧の電圧を変化させた場合を示す説明図である。
【図４】本発明の実施形態に係る電位治療器の出力電圧の周波数及び電圧を変化させた場合を示す説明図である。
【図５】本発明の実施形態に係る電位治療器の出力電圧の周波数を変化させ、変化の中にインターバルを含む場合を示す説明図である。
【図６】本発明の実施形態に係る電位治療器の出力電圧の電圧を変化させ、変化の中にインターバルを含む場合を示す説明図である。
【図７】本発明の実施形態に係る電位治療器の出力電圧の周波数及び電圧を変化させ、変化の中にインターバルを含む場合を示す説明図である。
【図８】本発明の実施形態に係る電位治療器の出力電圧の波形の例を示す説明図である。
【図９】本発明の実施形態に係る電位治療器の出力電圧の（Ａ）周波数、（Ｂ）電圧、（Ｃ）周波数及び電圧、を変化させた場合の他の例を示す説明図である。
【発明を実施するための形態】
【００１５】
以下、本発明の実施形態に係る電位治療器を図面に基づき詳細に説明する。
図１は、本発明の実施形態に係る電位治療器１の概略構成を示すブロック図である。電位治療器１は、交流の出力電圧を人体に印加して治療を行うものである。図１に示すように、電位治療器１は、電源回路２と、インバータ３と、制御装置４と、操作部５と、トランス６と、を有する。
【００１６】
電源回路２は、交流電源９に接続されて、交流電源９の交流電圧をインバータ３で利用できる安定した直流電圧に変換するものである。なお、電源回路２は、妨害電磁波対策のための図示しないフィルタ回路や、過負荷、過電圧若しくは低電圧等の異常時に電源回路２の動作を停止させる図示しない過負荷保護回路等を備えても良い。
【００１７】
操作部５は、例えば、電位治療器１の筐体の前面等に設けられ、制御装置４に接続される。そして、操作部５は、利用者による操作を受け付けて、その受け付けた命令を制御装置４に伝える。即ち、利用者は、操作部５を介して、電源のオンオフ、治療の開始及び終了、出力電圧を決定する各種パラメータの設定、後述する出力パターン１１〜１６（図２ないし図７参照）の選択等を行うことができる。なお、操作部５は、本体と離れていても良い。また、操作部５と制御装置４との接続は、無線接続でも良い。また、操作部５に、各種設定値や運転状況等を表示するための図示しない表示部を設けても良い。
【００１８】
インバータ３は、制御装置４及び電源回路２の出力側に接続される。インバータ３は、電源回路２から供給される直流電圧及び制御装置４からの命令を受け取り、所定の交流電圧を出力する。なお、インバータ３に、異常時に出力を停止するための図示しない過電流保護回路や保護ヒューズ等を備えても良い。
【００１９】
制御装置４は、電源回路２及びインバータ３に接続される。制御装置４は、操作部５の入力及び各種設定値等に基づき所定の演算を実行して電源回路２及びインバータ３の制御及び監視を行う。具体的には、制御装置４は、出力電圧の波形制御、タイマ制御、表示制御、過負荷監視及び電圧監視等を行う。特に、本実施形態の制御装置４は、インバータ３を制御することにより、出力電圧の波形を周期的に変化させることを特徴とする。詳細は、後述する。
【００２０】
トランス６は、インバータ３の出力側に接続され、インバータ３によって生成される交流電圧を出力電圧まで昇圧する。出力電圧は、図示しない保護回路や出力コネクタ等を介して導子７に伝わり、人体に印加される。
【００２１】
図２は、電位治療器１の出力電圧の周波数を変化させた場合を示す説明図である。なお、図２において、出力電圧の電圧Ｖｐ１０は、瞬時電圧ではなく波高値（ピーク値）である。
【００２２】
制御装置４（図１参照）は、図２に示すように、任意の電圧Ｖｐ１０（例えば、１４００Ｖｐから１４０００Ｖｐのうちの利用者が選択する任意の値）において、出力電圧の周波数を、時間Ｔ２毎に周波数Ｆ１、周波数Ｆ２、周波数Ｆ３、周波数Ｆ４と自動的に変化させる（出力パターン１１）。
【００２３】
具体的には、最初に周波数Ｆ１（開始周波数）が所定の時間Ｔ２出力され、その後、周波数Ｆ２が所定の時間Ｔ２出力され、次に、周波数Ｆ３が所定の時間Ｔ２出力された後、最後に周波数Ｆ４（終了周波数）が所定の時間Ｔ２出力される。
そして、出力電圧の周波数を周波数Ｆ１から周波数Ｆ４まで変化させる出力パターン１１が繰り返される。なお、周波数の変化は４段階に限定されない。
【００２４】
ここで、電位治療器１の出力電圧の周波数は、周波数Ｆ１、周波数Ｆ２、周波数Ｆ３、周波数Ｆ４の順に高くなる。例えば、周波数Ｆ１は、２５Ｈｚ、周波数Ｆ２は、５５Ｈｚ、周波数Ｆ３は、８５Ｈｚ、周波数Ｆ４は、１１５Ｈｚである。即ち、電位治療器１は、周波数を徐々に上昇させる出力パターン１１を周期的に実行する。このように、出力電圧の周波数を徐々に上げる出力パターン１１により、神経の慣れ現象を抑えて利用者の体感を改善することができる。
【００２５】
なお、本実施形態では、周波数Ｆ４を最も高い周波数として、その後、最も低い周波数Ｆ１まで周波数を一気に低下させる例を示したが、周波数を徐々に上昇させた後、徐々に低下させる出力パターンを採用しても良い。この場合も、周波数を上昇させる過程において周波数を緩やかに（段階的に）上げることによって、神経の疲れを緩和することができる。
【００２６】
ここで、例えば、周波数Ｆ１ないし周波数Ｆ４を夫々継続する時間Ｔ２は５分、出力パターン１１の周期である時間Ｔ１は２０分である。また、周波数Ｆ１ないし周波数Ｆ４を出力する時間Ｔ２は、夫々異なる長さであっても良い。即ち、周波数を変化させる間隔（時間Ｔ２）は、等間隔でなくても良い。
【００２７】
また、出力パターン１１の周期である時間Ｔ１を、２０分より長い時間、または短い時間にしても良い。例えば、出力パターン１１の周期を、人の呼吸周期や、リラックスした際に脳から発せられる電気的信号（アルファ波）の増減周期に近づける若しくは同期させても良い。具体的には、出力パターン１１の周期である時間Ｔ１を、５〜２０秒に設定しても良い。本実施形態では、時間Ｔ１を８秒とした運転モードを実行可能である。これにより、鎮静効果を高めて利用者の気分を落ち着かせ、緊張やストレスを緩和して優れたリラックス効果若しくは癒し効果を発揮することができる。
【００２８】
図３は、電位治療器１の出力電圧の電圧を変化させた場合を示す説明図である。なお、図３に示す電圧Ｖｐ１ないし電圧Ｖｐ４は、瞬時電圧ではなく波高値である。
【００２９】
制御装置４（図１参照）は、図３に示すように、任意の周波数Ｆ１０（例えば、２５Ｈｚから１１５Ｈｚのうち利用者が選択する任意の値）において、出力電圧の電圧を、時間Ｔ３毎に電圧Ｖｐ１、電圧Ｖｐ２、電圧Ｖｐ３、電圧Ｖｐ４と自動的に変化させる（出力パターン１２）。
【００３０】
具体的には、電圧Ｖｐ１（開始電圧）が所定の時間Ｔ３出力され、次に、電圧Ｖｐ２が所定の時間Ｔ３出力され、その後、電圧Ｖｐ３が所定の時間Ｔ３出力された後、電圧Ｖｐ４（終了電圧）が所定の時間Ｔ３出力される。
そして、出力電圧の電圧を電圧Ｖｐ１から電圧Ｖｐ４まで変化させる出力パターン１２が繰り返される。なお、電圧の変化は４段階に限定されない。
【００３１】
ここで、電位治療器１の出力電圧の電圧は、電圧Ｖｐ１、電圧Ｖｐ２、電圧Ｖｐ３、電圧Ｖｐ４の順に高くなる。例えば、電圧Ｖｐ１は、５０００Ｖｐ、電圧Ｖｐ２は、８０００Ｖｐ、電圧Ｖｐ３は、１１０００Ｖｐ、電圧Ｖｐ４は、１４０００Ｖｐである。即ち、電位治療器１は、出力電圧の電圧を徐々に上昇させる出力パターン１２を周期的に実行する。このように、出力電圧の電圧を徐々に上げる出力パターン１２によっても、神経の慣れ現象を抑えることができる。
【００３２】
なお、本実施形態では、電圧Ｖｐ４を最も高い電圧として、その後、最も低い電圧Ｖｐ１まで電圧を一気に低下させる例を示したが、電圧を徐々に上昇させた後、徐々に低下させる出力パターンを採用しても良い。この場合も、電圧を上昇させる過程において電圧を緩やかに（段階的に）上げることによって、神経の疲れを緩和することができる。
【００３３】
ここで、例えば、電圧Ｖｐ１ないし電圧Ｖｐ４を夫々継続する時間Ｔ３は７５秒、出力パターン１２の周期である時間Ｔ１は５分である。また、電圧を変化させる間隔（時間Ｔ３）は、等間隔でなくても良い。つまり、電圧Ｖｐ１ないし電圧Ｖｐ４を出力する時間Ｔ３は、電圧毎に夫々異なっても良い。
【００３４】
また、出力パターン１２の周期である時間Ｔ１を、５分より長い時間、または短い時間にしても良い。例えば、時間Ｔ１を５分より短い５〜２０秒に設定すると、人の呼吸周期若しくは人がリラックスした際に脳から発生される電気的信号の増減周期に、出力パターン１２の周期が近くなるか若しくは同期する。これにより、鎮静作用を更に高め、優れたリラックス効果、癒し効果を発揮することができる。
【００３５】
図４は、電位治療器１の出力電圧の周波数及び電圧を変化させた場合を示す説明図である。なお、図４に示す電圧Ｖｐ１ないし電圧Ｖｐ４は、瞬時電圧ではなく波高値である。
【００３６】
制御装置４（図１参照）は、図４に示すように、時間Ｔ２において、出力電圧を時間Ｔ３毎に電圧Ｖｐ１、電圧Ｖｐ２、電圧Ｖｐ３、電圧Ｖｐ４と自動的に変化させ、また、時間Ｔ２毎に、周波数を周波数Ｆ１、周波数Ｆ２、周波数Ｆ３、周波数Ｆ４と自動的に変化させる（出力パターン１３）。
【００３７】
即ち、出力パターン１３は、図２で示した出力パターン１１と、図３で示した出力パターン１２とを組み合わせた出力パターンである。これにより、周波数のみを変化させた場合及び電圧のみを変化させた場合の両方の効果に加え、周波数の変化及び電圧の変化の相乗効果によって、更なる癒し効果を発揮することができる。なお、電圧及び周波数を夫々増加させるステップは４段階に限らない。
【００３８】
また、出力パターン１３の時間Ｔ１、時間Ｔ２、時間Ｔ３を適切に設定することにより、更なる鎮静効果を発揮することができる。例えは、本実施形態では、時間Ｔ１を３２秒、時間Ｔ２を８秒、時間Ｔ３を２秒としている。
【００３９】
図５は、電位治療器１の出力電圧の周波数を変化させ、変化の中に電圧を基礎電圧Ｖｐ０にするインターバルＴ５を含む場合を示す説明図である。なお、図５において、出力電圧の電圧Ｖｐ１０及び基礎電圧Ｖｐ０は、瞬時電圧ではなく波高値である。
【００４０】
制御装置４（図１参照）は、図５に示すように、時間Ｔ２毎に周波数を周波数Ｆ１、周波数Ｆ２、周波数Ｆ３、周波数Ｆ４と変化させ、且つ時間Ｔ２毎に電圧を基礎電圧Ｖｐ０にするインターバルＴ５を設ける（出力パターン１４）。即ち、制御装置４は、時間Ｔ２より短い時間Ｔ４、電圧を電圧Ｖｐ１０（開始電圧）として出力させ、その後、電圧を基礎電圧Ｖｐ０に変化させる。つまり、時間Ｔ４は、電圧Ｖｐ１０を印加させる時間、インターバルＴ５は、電圧Ｖｐ１０より低い所定の基礎電圧Ｖｐ０を印加させる時間である。
【００４１】
なお、１周期（時間Ｔ１）に含まれるインターバルＴ５の回数は、少なくとも１回以上であり、４回に限定されず、出力するたびにインターバルＴ５の間隔が異なっていても良い。また、インターバルＴ５における周波数Ｆ０１は周波数Ｆ1または周波数Ｆ２と同じ値をとり、周波数Ｆ０２は周波数Ｆ２または周波数Ｆ３と同じ値、周波数Ｆ０３は周波数Ｆ３または周波数Ｆ４と同じ値、周波数Ｆ０４は周波数Ｆ４または周波数Ｆ１と同じ値を夫々とる。
【００４２】
ここで、基礎電圧Ｖｐ０は、開始電圧である電圧Ｖｐ１０よりも低い電圧（例えば、１４００Ｖｐの電圧）であり、無電圧、即ち０Ｖｐであっても良い。即ち、インターバルＴ５は、出力電圧の電圧を抑えた休憩時間に相当する。このように、休憩時間であるインターバルＴ５を設けることにより、神経のリフレッシュを行い、好適な体感を維持することができる。
【００４３】
また、時間Ｔ１及びインターバルＴ５を好適に設定することにより、出力パターン１４のリズムを人間の鼓動に近づけることができる。これにより、新たな体感を発生させる。本実施形態では、時間Ｔ１を１６秒、インターバルＴ５を約１〜３秒としている。なお、時間Ｔ１は、鎮静効果を高めるように、５〜２０秒が好ましい。
【００４４】
図６は、電位治療器１の出力電圧の電圧を変化させ、変化の中に電圧を基礎電圧Ｖｐ０にするインターバルＴ５を含む場合を示す説明図である。なお、図６において、出力電圧の電圧Ｖｐ１ないし電圧Ｖｐ４及び基礎電圧Ｖｐ０は、瞬時電圧ではなく波高値である。
【００４５】
制御装置４（図１参照）は、図６に示すように、利用者が選択する任意の周波数Ｆ１０において、出力電圧の電圧を、時間Ｔ３毎に電圧Ｖｐ１（開始電圧）、電圧Ｖｐ２、電圧Ｖｐ３、電圧Ｖｐ４（終了電圧）と変化させ、且つ時間Ｔ３毎に電圧を基礎電圧Ｖｐ０にするインターバルＴ５を設ける（出力パターン１５）。
【００４６】
即ち、制御装置４は、時間Ｔ３より短い時間Ｔ４、電圧を電圧Ｖｐ１ないし電圧Ｖｐ４の何れかとして出力させ、その後電圧を基礎電圧Ｖｐ０に変化させる。つまり、時間Ｔ４は、電圧Ｖｐ１ないし電圧Ｖｐ４の何れかを印加させる時間、インターバルＴ５は、開始電圧である電圧Ｖｐ１より低い所定の基礎電圧Ｖｐ０を印加させる時間である。なお、１周期（時間Ｔ１）に含まれるインターバルＴ５の回数は、少なくとも１回以上であり、４回に限定されず、出力するたびにインターバルＴ５の間隔が異なっていても良い。
【００４７】
ここで、基礎電圧Ｖｐ０は、開始電圧である電圧Ｖｐ１より低い電圧である。例えば、電圧Ｖｐ１が５０００Ｖｐの場合、基礎電圧Ｖｐ０は１４００Ｖｐである。なお、基礎電圧Ｖｐ０は、無電圧、即ち０Ｖｐであっても良い。即ち、インターバルＴ５は、出力電圧の電圧を抑えた休憩時間に相当する。このように、出力電圧の電圧が低いインターバルＴ５を設けることにより神経のリフレッシュを行い、好適な体感を維持することができる。
【００４８】
また、時間Ｔ１及びインターバルＴ５を好適に設定することにより、出力パターン１５のリズムを人間の鼓動に近づけることができる。これにより、新たな体感を発生させる。本実施形態では、時間Ｔ１を１６秒、インターバルＴ５を約１〜３秒としている。なお、時間Ｔ１は、鎮静効果を高めるように、５〜２０秒が好ましい。
【００４９】
図７は、電位治療器１の出力電圧の周波数及び電圧を変化させ、変化の中に電圧を基礎電圧Ｖｐ０にするインターバルＴ５を含む場合を示す説明図である。なお、図７において、出力電圧の電圧Ｖｐ１ないし電圧Ｖｐ４及び基礎電圧Ｖｐ０は、瞬時電圧ではなく波高値である。
【００５０】
制御装置４（図１参照）は、図７に示すように、時間Ｔ３の間隔で周波数を周波数Ｆ１、周波数Ｆ２、周波数Ｆ３、周波数Ｆ４と変化させる。併せて、開始電圧である電圧Ｖｐ１を時間Ｔ４出力した後、電圧Ｖｐ１より低い基礎電圧Ｖｐ０をインターバルＴ５の間出力し、続けて電圧を電圧Ｖｐ２、基礎電圧Ｖｐ０、電圧Ｖｐ３、基礎電圧Ｖｐ０、電圧Ｖｐ４、基礎電圧Ｖｐ０と変化させる（出力パターン１６）。インターバルＴ５は、時間Ｔ３毎に設けられることになる。
【００５１】
即ち、出力パターン１６は、図５で示した出力パターン１４と、図６で示した出力パターン１５と、を組み合わせた出力パターンである。これにより、周波数のみを変化させた場合及び電圧のみを変化させた場合の両方の効果に加え、周波数の変化及び電圧の変化の相乗効果によって、更なる癒し効果を発揮することができる。
【００５２】
なお、１周期（時間Ｔ１）に含まれるインターバルＴ５の回数は、少なくとも１回以上であり、４回に限定されず、出力するたびにインターバルＴ５の間隔が異なっていても良い。
【００５３】
図８は、電位治療器１の出力電圧の波形の例を示す説明図である。なお、ここで電圧Ｖは瞬時値を示している。制御装置４（図１参照）は、所定の基準周波数よりも低い周波数を出力する場合において、正の電圧を時間Ｔ１１印加し、無電圧時間Ｔ１２の間電圧を印加せず、負の電圧を時間Ｔ１１印加した後、再び無電圧時間Ｔ１２の間電圧を印加しない波形を周期的に繰り返す。
正及び負の電圧が印加される時間Ｔ１１は、周期の時間Ｔ１０の１／２より短い。なお、正及び負の電圧が印加される時間Ｔ１１は、夫々同じ時間でなくても良い。
【００５４】
ここで、波形を変化させる基準となる前記基準周波数は、例えば、５０Ｈｚである。即ち、例えば、出力電圧の周波数を２５Ｈｚにする場合には、図８に示す波形が出力される。このように、低周波数時に無電圧時間Ｔ１２を設けた波形を出力することにより、人体に流れる電流を減らし、安全性を高めることができる。
【００５５】
図９（Ａ）は、電位治療器１の出力電圧の周波数を変化させた場合、図９（Ｂ）は、電圧を変化させた場合、図９（Ｃ）は、周波数及び電圧を変化させた場合の他の例を示す説明図である。なお、ここで電圧Ｖは瞬時値を示している。
【００５６】
図９（Ａ）は、時間が進むにつれて、周波数が徐々に高くなる変化を示している。既に説明した出力パターン１１（図２参照）、出力パターン１３（図４参照）、出力パターン１４（図５参照）等では、周波数を所定の時間Ｔ２毎に、段階的（ステップ状）に切り替えたが、図９（Ａ）のように、周波数をなだらかに（連続的に）変化させても良い。また、周波数を徐々に低下させる場合においても、連続的に変化させても良い。
【００５７】
図９（Ｂ）は、時間が進むにつれて、電圧が徐々に高くなる変化を示している。出力パターン１２（図３参照）、出力パターン１３（図４参照）、出力パターン１５（図６参照）、出力パターン１６（図７参照）では、電圧を時間Ｔ３毎に、段階的に切り替えたが、図９（Ｂ）のように、電圧をなだらかに変化させても良い。また、電圧を徐々に低下させる場合においても、なだらかに変化させても良い。
【００５８】
図９（Ｃ）は、時間が進むにつれて、周波数及び電圧が徐々に高くなる変化を示している。このように周波数及び電圧を同時に変化させる場合においても、周波数及び電圧を段階的ではなくなだらかに変化させても良い。また、周波数及び電圧を低下させる場合においてもなだらかに変化させても良い。
【００５９】
図９（Ａ）ないし（Ｃ）のように、周波数及び電圧の少なくとも一方を連続的に変化させることにより、急激な変化による過度の刺激や違和感を抑えつつ、神経の疲労を抑制して体感を改善することができる。これにより、癒し効果を更に高めることができる。
【００６０】
なお、本発明は、上記実施形態に限定されるものではなく、その他、本発明の要旨を逸脱しない範囲で、種々の変更実施が可能である。
【符号の説明】
【００６１】
１      電位治療器
２      電源回路
３      インバータ
４      制御装置
５      操作部
６      トランス
７      導子
９      交流電源
１１、１２、１３、１４、１５、１６  出力パターン
Ｆ０１、Ｆ０２、Ｆ０３、Ｆ０４  周波数
Ｆ１、Ｆ２、Ｆ３、Ｆ４、Ｆ１０  周波数
Ｖ      電圧（瞬時値）
Ｖｐ０  基礎電圧
Ｖｐ１、Ｖｐ２、Ｖｐ３、Ｖｐ４、Ｖｐ１０  電圧（波高値）
Ｔ１、Ｔ２、Ｔ３、Ｔ４、Ｔ１１  時間
Ｔ５    インターバル
Ｔ１２  無電圧時間
【図１】
0006433054.tif 000002
【図２】
0006433054.tif 000003
【図３】
0006433054.tif 000004
【図４】
0006433054.tif 000005
【図５】
0006433054.tif 000006
【図６】
0006433054.tif 000007
【図７】
0006433054.tif 000008
【図８】
0006433054.tif 000009
【図９】
0006433054.tif 000010